(57)【要約】  本発明は、スタンバイ動作を制御するための方法及び装置を提供し、通信技術の分野に関する。スタンバイ動作を制御するための前記方法は、第一設定時間内に動作命令が存在しないと検出されるとき、設定範囲内でユーザ検出を実行するステップと、第二設定時間内でユーザが検出されるか否かを判定するとともに、判定結果に基づいてスタンバイ動作を実行するステップとを含む。本発明に従い、ユーザの現行状態に基づいて対応するスタンバイ状態が実行され、それにより、ユーザ体験が改善される。
2015510633.tif 000002
【特許請求の範囲】
【請求項１】
スタンバイ動作を制御するための方法であって、
第一設定時間内に動作命令が存在しないと検出されるとき、設定範囲内でユーザ検出を実行するステップと、
第二設定時間内でユーザが検出されるか否かを判定するとともに、判定結果に基づいてスタンバイ動作を実行するステップと
を含む方法。
【請求項２】
判定結果に基づいてスタンバイ動作を実行する前記ステップは、
前記判定結果が検出されなかった判定であるとき、スクリーンスタンバイタイムアウト期間を第三設定時間に短縮するステップと、
動作命令が、前記第三設定時間内に存在するか否かを判定するとともに、もし存在しない場合、スタンバイ状態に入るステップと
を含む、請求項１に記載の方法。
【請求項３】
判定結果に基づいてスタンバイ動作を実行する前記ステップは、
前記判定結果が、検出された判定であるとき、スクリーンスタンバイタイムアウト期間を第四設定時間に延長するステップと、
動作命令が、前記第四設定時間内に存在するか否かを判定するとともに、もし存在しない場合、スタンバイ状態に入るステップと
を含む、請求項１に記載の方法。
【請求項４】
判定結果に基づいてスタンバイ動作を実行する前記ステップは、
前記判定結果が、検出されなかった判定であり、かつ映像が再生されているとき、前記映像の前記再生を一時停止するステップと、
動作命令がスクリーンスタンバイタイムアウト期間内に存在するか否かを判定するとともに、もし存在しない場合、スタンバイ状態に入るステップと
を含む、請求項１に記載の方法。
【請求項５】
設定範囲内にユーザ検出を実行する前記ステップは、
前記設定範囲内において特定時間の間隔で赤外線ユーザ検出を実行するステップを含む、請求項１に記載の方法。
【請求項６】
スタンバイ動作を制御するための装置であって、
第一設定時間内に動作命令が存在しないと検出されるとき、設定範囲内でユーザ検出を実行するように構成された検出モジュールと、
第二設定時間内でユーザが検出される否かを判定するとともに、判定結果に基づいてスタンバイ動作を実行するように構成された判定及び処理モジュールと
を備える装置。
【請求項７】
前記判定及び処理モジュールは、
前記判定結果が検出されなかった判定であるとき、スクリーンスタンバイタイムアウト期間を第三設定時間に短縮するように構成された短縮ユニットと、
動作命令が、前記第三設定時間内に存在するか否かを判定するとともに、もし存在しない場合、スタンバイ状態に入るように構成された第一スタンバイユニットと
を備える、請求項６に記載の装置。
【請求項８】
前記判定及び処理モジュールは、
前記判定結果が、検出された判定であるとき、スクリーンスタンバイタイムアウト期間を第四設定時間に延長するように構成された延長ユニットと、
動作命令が、前記第四設定時間内に存在するか否かを判定するとともに、もし存在しない場合、スタンバイ状態に入るように構成された第二スタンバイユニットと
を備える、請求項６に記載の装置。
【請求項９】
前記判定及び処理モジュールは、
前記判定結果が、検出されなかった判定であり、かつ映像が再生されているとき、前記映像の前記再生を一時停止するように構成された一時停止ユニットと、
動作命令がスクリーンスタンバイタイムアウト期間内に存在するか否かを判定するとともに、もし存在しない場合、スタンバイ状態に入るように構成された第三スタンバイユニットと
を備える、請求項６に記載の装置。
【請求項１０】
前記検出モジュールは、
前記設定範囲内において特定時間の間隔で赤外線ユーザ検出を実行するように構成された検出ユニットを備える、請求項６〜９のいずれか一項に記載の装置。
【請求項１１】
前記検出モジュールは、人体赤外線センサである、請求項６に記載の装置。
【発明の詳細な説明】
【技術分野】
【０００１】
本発明は、通信技術の分野に関し、特にスタンバイ動作を制御するための方法及び装置に関する。
【背景技術】
【０００２】
インテリジェント端末技術の発展とともに、移動端末の使用は、ますます広がっており、ユーザは、特に映像を見たり、ウェブページを閲覧したりするために使用することができる。
【０００３】
従来技術において、ユーザが移動端末を使用することによってウェブページを閲覧するとき、もし前記ユーザがページを閲覧して長時間前記移動端末を動作させない場合、前記移動端末は、自動的にスタンバイ状態に入る。この時、前記ユーザは、移動端末を動作させないで閲覧を継続することを意図してもよく、かつ前記ユーザの意図していることを妨害する自動スタンバイは、ユーザ体験を弱める。
【発明の概要】
【課題を解決するための手段】
【０００４】
ユーザの意図していることを妨害しないでスタンバイ状態に入るために、本発明の実施形態は、スタンバイ動作を制御するための方法及び装置を提供する。その技術的解決策は、以下の通りである。
一態様に基づいて、スタンバイ動作を制御するための方法が提供され、
第一設定時間内に動作命令が存在しないと検出されるとき、設定範囲内でユーザ検出を実行するステップと、
第二設定時間内でユーザが検出されるか否かを判定するとともに、判定結果に基づいてスタンバイ動作を実行するステップと
を含む。
【０００５】
別の態様に基づいて、スタンバイ動作を制御するための装置が提供され、
第一設定時間内に動作命令が存在しないと検出されるとき、設定範囲内でユーザ検出を実行するように構成された検出モジュールと、
第二設定時間内でユーザが検出されるか否かを判定し、かつ判定結果に基づいてスタンバイ動作を実行するように構成された判定及び処理モジュールと
を備える。
【０００６】
本発明の態様によって提供される技術的解決策は、以下の有益な効果を有する。第一設定時間内に動作命令が存在しないとき、ユーザ検出が設定範囲内で実行され、ユーザが検出されるか否かの結果に基づいて対応するスタンバイ動作が実行される。つまり、本発明において、設定範囲内のユーザの存在状態が考慮され、かつ前記ユーザの前記存在状態に基づいて対応するスタンバイ動作が実行され、それによってユーザ体験が改善される。
【図面の簡単な説明】
【０００７】
本発明の実施形態における技術的解決法をより明確に説明するために、以下に実施形態を説明するために必要な添付図面を簡潔に説明する。以下の説明における添付図面は、本発明の単なるいくつかの実施形態を示しており、かつ当業者は、創造的努力をすることなく、これらの添付図面から他の図面を導き出すことができるということは明らかである。
【図１】本発明の実施形態1に基づくスタンバイ動作を制御するための方法の実施形態のフローチャートである。
【図２】本発明の実施形態2に基づくスタンバイ動作を制御するための方法の実施形態のフローチャートである。
【図３】本発明の実施形態3に基づくスタンバイ動作を制御するための方法の実施形態のフローチャートである。
【図４】本発明の実施形態4に基づくスタンバイ動作を制御するための装置の実施形態の第一の概略構造図である。
【図５】本発明の実施形態4に基づくスタンバイ動作を制御するための装置の実施形態の第二の概略構造図である。
【図６】本発明の実施形態4に基づくスタンバイ動作を制御するための装置の実施形態の第三の概略構造図である。
【図７】本発明の実施形態4に基づくスタンバイ動作を制御するための装置の実施形態の第四の概略構造図である。
【発明を実施するための形態】
【０００８】
本発明の実施形態は、スタンバイ動作を制御するための方法及び装置を提供する。
【０００９】
本発明の目的、技術的解決策、及び利点をより理解し易くするために、以下に添付図面を参照しながら、本発明の実施方法についてさらに詳細に説明する。
【００１０】
〔実施形態１〕
図1を参照すると、図1は、本発明の実施形態１に基づくスタンバイ動作を制御するための方法の実施形態のフローチャートである。この実施形態は、移動端末によって実行されてもよく、特にタブレットコンピュータ又は携帯電話であってもよいが、それらに限定されない。詳細な説明は、ここに提供されない。
【００１１】
スタンバイ動作を制御するための方法は以下を含む。
【００１２】
S101:第一設定時間内に動作命令が存在しないと検出されるとき設定範囲内でユーザ検出を実行する。
【００１３】
S102:第二設定時間内でユーザが検出されるか否かを判定し、かつ判定結果に基づいてスタンバイ動作を実行する.
【００１４】
この実施形態において、第一設定時間内に動作命令が存在しないとき、ユーザ検出が設定範囲内で実行され、対応するスタンバイ動作が、ユーザが検出されるか否かの結果に基づいて実行される。つまり、この実施形態において、設定範囲内のユーザの存在状態が考慮され、かつ前記ユーザの前記存在状態に基づいて対応するスタンバイ動作が実行され、それによって、ユーザ体験が改善される。
【００１５】
〔実施形態２〕
図2を参照すると、図2は、本発明の実施形態２に基づくスタンバイ動作を制御するための方法の実施形態のフローチャートである。この実施形態は、移動端末によって実行されてもよく、特にタブレットコンピュータ又は携帯電話であってもよいが、それらに限定されない。移動端末は、以下の詳細な説明のための実施例として使用される。この実施形態における適用シナリオは、情報閲覧の動作が移動端末を使用することによって実行されることであってもよく、特にウェブページ情報又はショートメッセージ情報閲覧であってもよいが、それらに限定されない。
【００１６】
スタンバイ動作を制御するための方法は以下を含む。
【００１７】
S201: 第一設定時間内に動作命令が存在しないと検出されるとき、設定範囲内でユーザ検出を実行するための検出をトリガする。
【００１８】
このステップに含まれる前記第一設定時間は、ユーザ体験に基づいて設定されてもよい。例えば、前記第一設定時間は、15秒であってもよい。
【００１９】
前記移動端末を使用することによって情報を閲覧する間に、もし、ユーザが前記第一設定時間内に前記移動端末をトリガしない場合、つまり、前記移動端末が前記第一設定時間内に動作命令を検出しない場合、前記移動端末は検出をトリガし、特に赤外線検出であってもよいが、それに限定されない。詳細な説明はここに提供されない。赤外線検出は、前記移動端末において人体赤外線検出デバイスを使用することによって実装されてもよく、特に人体赤外線センサであってもよいが、これに限定されない。ターンオンされたときに、前記人体赤外線センサは、前記設定範囲内で人体によって放出された赤外線を受信し、その結果、前記設定範囲内でユーザ検出を実装する。前記移動端末の電力消費を減少させるために、好適には、この実施形態において、前記移動端末における人体赤外線センサのために、低電力消費の人体赤外線センサが採用されてもよい。
【００２０】
前記移動端末が赤外線検出をトリガした後、ユーザ検出が、前記移動端末から離れた設定範囲内で実行される。特に、前記移動端末における人体赤外線センサは、設定範囲内で連続的なユーザ検出を実行してもよい。しかし、前記移動端末の電力消費を減少させるために、好適には、前記移動端末における人体赤外線センサは、設定範囲内において特定時間の間隔で赤外線ユーザ検出を実行してもよく、つまり、ユーザ検出が周期的に実行される。前記特定時間は、ユーザによって設定されてもよい。例えば、前記人体赤外線センサは、設定範囲において10秒の間隔で赤外線ユーザ検出を実行する、つまり、10秒の間隔で人体赤外線センサがターンオンされ、ユーザ検出を実行する。
【００２１】
前記人体赤外線センサが移動端末に配置されるとき、人体赤外線センサが前記移動端末のスクリーンの前の前記設定範囲内においてユーザを検出することができることを保証されるべきである。前記設定範囲は、特に移動端末のスクリーンの前の特定距離内の扇形領域であってもよい。前記扇形領域の角度は、前記人体赤外線センサの検出角度と一致する。前記特定距離は、前記人体赤外線センサの最大検出距離と一致する。例えば、前記人体赤外線センサの最大検出距離は、1.5メートルであり、かつ前記検出角度は、110°であり、従って、特定範囲は、前記スクリーンの前の1.5メートル内の扇形領域であり、かつ、前記扇形領域の角度は、110°である。前記スクリーンの前は、右前であってもよく、又は、左前又は右前であってもよく、これに限定されない。
【００２２】
S202: 第二設定時間内でユーザが検出されるか否かを判定し、もし、検出された場合、S203を実行し、もし検出されなかった場合、S204を実行する。
【００２３】
このステップに含まれる前記第二設定時間は、ユーザ体験に基づいて設定されてもよい。例えば、前記第二設定時間は2分でもよいが、これに限定されない。
【００２４】
前記移動端末は、前記ユーザが第二設定時間内に検出されるか否かを判定し、つまり、前記移動端末における人体赤外線センサは、設定範囲内のユーザによって放出された赤外線が、前記第二設定時間内に受信されるか否かを判定し、かつ、後続の対応する処理が判定結果に基づいて実行される。
【００２５】
S203:スクリーンスタンバイタイムアウト期間(screen standby timeout period)を第三設定時間に延長し、動作命令が前記第三設定時間内に存在するか否かを判定し、もし存在しない場合、スタンバイ状態に入り、もし存在する場合、前記スクリーンスタンバイタイムアウト期間の初期設定を復元するとともに、現行情報の表示を継続する。
【００２６】
このステップに含まれる前記第三設定時間は、ユーザ体験に基づいて設定されてもよい。例えば、前記スクリーンスタンバイタイムアウト期間が1分であるとき、前記第三設定時間は、10分であってもよいが、これに限定されない。つまり、この実施形態において、前記スクリーンスタンバイタイムアウト期間(1分)は、10分に延長されてもよい。前記スクリーンスタンバイタイムアウト期間は、予めユーザによって設定されてもよく、又はコンピュータの工場出荷時の設定であってもよい。
【００２７】
前記移動端末が、第二設定時間内にユーザを検出できるとき、前記ユーザが情報を閲覧していることを示している。前記移動端末は、前記スクリーンスタンバイタイムアウト期間を第三設定時間に延長し、動作命令が第三設定時間内に存在するか否かを判定し、かつ判定結果に基づいて対応する処理を実行する。前記スクリーンスタンバイタイムアウト期間を延長することは、前記移動端末がスタンバイ状態に入っていない間、前記ユーザがより長い間情報を閲覧し続けることを可能にし、それによってユーザ体験を改善する。
【００２８】
もし、動作命令が第三設定時間内に存在しない場合、前記移動端末は、スタンバイ状態に入る。もし、動作が前記第三設定時間内に実行される場合、スクリーンスタンバイタイムアウト期間の初期設定が復元される。つまり、前記第三設定時間が延長前のスクリーンスタンバイタイムアウト期間に復元される。例えば、スクリーンスタンバイタイムアウト期間は、延長後の10分から延長前の1分に復元され、ついで現行情報の表示が継続する。
【００２９】
S204:前記スクリーンスタンバイタイムアウト期間を第四設定時間に短縮し、動作命令が前記第四設定時間内に存在するか否かを判定し、もし存在しない場合、スタンバイ状態に入り、もし存在する場合、前記スクリーンスタンバイタイムアウト期間の初期設定を復元するとともに、現行情報を表示することを継続する。
【００３０】
このステップに含まれる前記第四設定時間は、ユーザ体験に基づいて設定されてもよい。例えば、前記スクリーンスタンバイタイムアウト期間が1分であるとき、前記第四設定時間は、15秒であってもよいが、これに限定されない。つまり、この実施形態において、前記スクリーンスタンバイタイムアウト期間(1分)は、15秒に短縮されてもよい。前記スクリーンスタンバイタイムアウト期間は、予め前記ユーザによって設定されてもよく、又は、コンピュータの工場出荷時の設定であってもよい。
【００３１】
前記移動端末が、前記第二設定時間内にユーザを検出することに失敗するとき、それは、ユーザが離れ、情報を閲覧していないということを示す。前記移動端末は、スクリーンスタンバイタイムアウト期間を第四設定時間に短縮し、動作命令が第四設定時間内に存在するか否かを判定し、かつ判定結果に基づいて対応する処理を実行する。
【００３２】
前記スクリーンスタンバイタイムアウト期間を短縮することは、移動端末がスタンバイ状態により迅速に入ることを可能にし、かつ移動端末の電力消費を節約する。前記スクリーンスタンバイタイムアウト期間は、予めユーザによって設定されてもよく、又は、コンピュータの工場出荷時の設定であってもよい。例えば、前記スクリーンスタンバイタイムアウト期間は1分であり、かつこの実施形態において、スクリーンスタンバイタイムアウト期間(1分)は15秒に短縮されてもよい。
【００３３】
もし、動作命令が第四設定時間内に存在しない場合、前記移動端末はスタンバイ状態に入る。もし、動作が第四設定時間内に実行される場合、スクリーンスタンバイタイムアウト期間の初期設定は復元され、つまり、第四設定時間は短縮前のスクリーンスタンバイタイムアウト期間に復元される。例えば、前記スクリーンスタンバイタイムアウト期間は、短縮後の15秒から延長前の1分に復元され、かつ現行情報の表示が継続する。
【００３４】
この実施形態において、スクリーンスタンバイタイムアウト期間が短縮された後、例えば表示情報の内容及び閲覧経過のようなスクリーン表示情報の属性情報が、現行時刻において、さらにメモリに記録されてもよい。前記属性情報は、これに限定されず、かつさらにここに説明されない。前記現行時刻におけるスクリーン表示情報の属性情報は、後続の手順において使用するために保存されてもよい。
【００３５】
この実施形態における適用シナリオは、情報閲覧に限定されないが、前記移動端末を使用することによって実行される他の動作であってもよく、特にここでは限定しない。
【００３６】
この実施形態は、移動端末にのみに適用可能なのではなく、様々なマルチメディア端末に適用可能でもあり、それらの実装原理及び手順は、前記移動端末のそれらと同様であり、ここには説明しない。
【００３７】
この実施形態において、第一設定時間内に動作命令が存在しない時、ユーザ検出が設定範囲内で実行され、ユーザが検出されるか否かの結果に基づいて対応するスタンバイ動作が実行される。つまり、この実施形態において、設定範囲内のユーザの存在状態が考慮され、かつ対応するスタンバイ動作が、前記ユーザの前記存在状態に基づいて実行され、それによってユーザ体験を改善する。
【００３８】
さらに、この実施形態において、移動端末の電力消費が節約され、かつ移動端末は、よりインテリジェントになる。
【００３９】
〔実施形態３〕
図3を参照すると、図3は、本発明の実施形態３に基づくスタンバイ動作を制御するための方法の実施形態のフローチャートである。この実施形態は、移動端末によって実行されてもよく、特にタブレットコンピュータ又は携帯電話であってもよいが、これらに限定されない。移動端末は、以下に、詳細な説明のための実施例として使用される。この実施形態における適用シナリオでは、映像を再生する動作が、前記移動端末を使用することによって実行される。
【００４０】
スタンバイ動作を制御するための方法は以下を含む。
【００４１】
S301:第一設定時間内に動作命令が存在しないと検出されるとき、設定範囲内でユーザ検出を実行するための検出をトリガする。
【００４２】
このステップに含まれる前記第一設定時間は、ユーザ体験に基づいて設定されてもよい。例えば、前記第一設定時間は5分であってもよい。
【００４３】
前記映像が移動端末上で再生されているとき、もしユーザが前記第一設定時間内に前記移動端末をトリガしない場合、つまり、前記移動端末が前記第一設定時間内に動作命令を検出しない場合、前記移動端末は、検出をトリガする。前記検出は、特に赤外線検出であってもよいが、これに限定されない。詳細な説明はここでは提供しない。赤外線検出は、移動端末における人体赤外線検出デバイスを使用することによって実装されてもよく、特に人体赤外線センサであってもよいが、それに限定されない。ターンオンされたとき、前記人体赤外線センサは、設定範囲内で人体によって放出された赤外線を受信し、これによって、設定範囲内でユーザ検出を実装する。前記移動端末の電力消費を減少させるために、好適には、この実施形態において、移動端末における人体赤外線センサのために、低電力消費の人体赤外線センサが採用される。
【００４４】
前記移動端末が赤外線検出をトリガした後、ユーザ検出が、前記移動端末から離れた設定範囲内で実行される。特に、前記移動端末における人体赤外線センサは、設定範囲内で連続的なユーザ検出を実行してもよい。しかし、前記移動端末の電力消費を減少させるために、好適には、前記移動端末における人体赤外線センサは、設定範囲内において特定時間の間隔で赤外線ユーザ検出を実行してもよく、つまり、ユーザ検出が周期的に実行される。前記特定時間は、ユーザによって設定されてもよい。例えば、前記人体赤外線センサは、設定範囲において10秒の間隔で赤外線ユーザ検出を実行する、つまり、10秒の間隔で人体赤外線センサがターンオンされ、ユーザ検出を実行する。
【００４５】
前記人体赤外線センサが移動端末に配置されるとき、人体赤外線センサは、前記移動端末のスクリーンの前の前記設定範囲内においてユーザを検出することができることを保証されるべきである。前記設定範囲は、特に移動端末のスクリーンの前の特定距離内の扇形領域であってもよい。前記扇形領域の角度は、前記人体赤外線センサの検出角度と一致する。前記特定距離は、前記人体赤外線センサの最大検出距離と一致する。例えば、前記人体赤外線センサの最大検出距離は、1.5メートルであり、かつ前記検出角度は、110°であり、従って、特定範囲は、前記スクリーンの前の1.5メートル内の扇形領域であり、かつ、前記扇形領域の角度は、110°である。前記スクリーンの前は、右前であってもよく、又は、左前又は右前であってもよく、これに限定されない。
【００４６】
S302: 第二設定時間内でユーザが検出されるか否かを判定し、もし、検出された場合、S303を実行し、もし検出されなかった場合、S304を実行する。
【００４７】
このステップに含まれる前記第二設定時間は、ユーザ体験に基づいて設定されてもよい。例えば、前記第二設定時間は2分でもよいが、これに限定されない。
【００４８】
前記移動端末は、前記ユーザが第二設定時間内に検出されるか否かを判定し、つまり、前記移動端末における人体赤外線センサは、設定範囲内のユーザによって放出された赤外線が、前記第二設定時間内に受信されるか否かを判定し、かつ、後続の対応する処理が判定結果に基づいて実行される。
【００４９】
S303: 前記映像の再生を継続する。
【００５０】
もし、前記移動端末のシステムがアンドロイドシステムである場合、前記移動端末は、通常の映像再生の処理において自動的にスタンバイ状態に入らない。もし前記移動端末が、第二設定時間内にユーザを検出する場合、それは、前記ユーザが映像を見ていることを示しており、移動端末は、通常通り、映像を再生することを継続する。
【００５１】
しかし、ウィンドウズ（登録商標）システム(Windows（登録商標） system)において、もし移動端末がスクリーンスタンバイタイムアウト期間内にトリガされない場合、前記移動端末は、スタンバイ状態に入る。それゆえに、ウィンドウズ（登録商標）システムを備えた移動端末にとって、前記移動端末が第二設定時間内にユーザを検出することができるとき、前記スクリーンスタンバイタイムアウト期間は、第三設定時間に延長されてもよく、かつ動作命令が第三設定時間内に存在するか否かが判定される。もし、存在すると判定された場合、前記移動端末は、通常通り、映像を再生することを継続し、もし存在しないと判定された場合、前記移動端末は、スタンバイ状態に入り、それによって、ユーザ体験を改善する。前記スクリーンスタンバイタイムアウト期間は、予めユーザによって設定されてもよく、又は、コンピュータの工場出荷時の設定であってもよい。例えば、スクリーンスタンバイタイムアウト期間は1分又は2分である。
【００５２】
S304:前記映像の再生を一時停止し、動作命令が前記スクリーンスタンバイタイムアウト期間内に存在するか否かを判定し、もし存在しない場合、スタンバイ状態に入り、もし存在する場合、対応する動作命令に基づいて処理を実行する。
【００５３】
このステップにおいて、前記移動端末が、第二設定時間内にユーザを検出することに失敗するとき、それは、前記ユーザが離れ、かつ、映像を見ていないことを示す。ついで、前記映像は一時停止され、かつ、動作命令が前記スクリーンスタンバイタイムアウト期間内に存在するか否かが判定される。もし存在しない場合、前記移動端末は、スタンバイ状態に入り、もし存在する場合、対応する動作命令に基づいて処理が実行される。
【００５４】
この実施形態において、前記映像の再生が一時停止された後、例えば現行時刻における映像の時間経過及び復号処理情報のような属性情報が、さらにメモリに記録されてもよい。前記属性情報は、これらに限定されず、ここにさらに説明しない。前記映像の属性情報は、後続の手順における使用のために保存されてもよい。
【００５５】
映像の再生を一時停止し、かつ、スタンバイ状態に入る動作は、ユーザ体験を改善するだけでなく、電力消費を節約する。
【００５６】
この実施形態は、移動端末に適用可能であるだけでなく、様々なマルチメディア端末に適用可能でもあり、その実装原理及び手順は、移動端末のそれらと同様である。詳細な説明は、ここには提供されない。
【００５７】
この実施形態において、第一設定時間内に動作命令が存在しないとき、ユーザ検出が設定範囲内で実行され、ユーザが検出された否かの結果に基づいて、対応するスタンバイ動作が実行され、つまり、この実施形態において、設定範囲内のユーザの存在状態が考慮され、かつ、前記ユーザの前記存在状態に基づいて対応するスタンバイ動作が実行され、それによって、ユーザ体験が改善される。
【００５８】
さらに、この実施形態において、移動端末の電力消費が節約され、かつ前記移動端末はよりインテリジェントになる。
【００５９】
〔実施形態４〕
図4を参照すると、図4は、本発明の実施形態４に基づくスタンバイ動作を制御するための装置の実施形態の第一の概略構造図である。この実施形態において、スタンバイ動作を制御するための装置は、移動端末であってもよく、特にタブレットコンピュータ又は携帯電話であってもよいが、これらに限定されない。詳細な説明はここに提供されない。
【００６０】
スタンバイ動作を制御するための装置は以下を備える。
第一設定時間内に動作命令が存在しないと検出されるとき、設定範囲内においてユーザ検出を実行するように構成された検出モジュール401と、
第二設定時間内でユーザが検出されるか否かを判定し、かつ判定結果に基づいてスタンバイ動作を実行するように構成された判定及び処理モジュール402と
を備える。
【００６１】
前記判定及び処理モジュール402は、短縮ユニット4021と、第一スタンバイユニット4022とを備える。図5に示されるように、図5は、本発明の実施形態４に基づくスタンバイ動作を制御するための装置の実施形態の第二の概略構造図である。
【００６２】
前記短縮ユニット4021は、前記判定結果が「いいえ」であるとき、スクリーンスタンバイタイムアウト期間を、第三設定時間に短縮するように構成される。
【００６３】
前記第一スタンバイユニット4022は、動作命令が前記第三設定時間内に存在するか否かを判定し、かつ存在しない場合、スタンバイ状態に入るように構成される。
【００６４】
この実施形態の別の実施方法において、前記判定及び処理モジュール402は、延長ユニット4023と、第二スタンバイユニット4024とを備える。図6に示されるように、図6は、本発明の実施形態４に基づくスタンバイ動作を制御するための装置の実施形態の第三の概略構造図である。
【００６５】
前記延長ユニット4023は、判定結果が「はい」であるとき、スクリーンスタンバイタイムアウト期間を第四設定時間に延長するように構成される。
【００６６】
前記第二スタンバイユニット4024は、動作命令が前記第四設定時間内に存在するか否かを判定し、かつ存在しない場合、スタンバイ状態に入るように構成される。
【００６７】
この実施形態における別の実施方法において、前記判定及び処理モジュール402は、一時停止ユニット4025と、第三スタンバイユニット4026とを備える。図7に示されるように、図7は、本発明の実施形態４に基づくスタンバイ動作を制御するための装置の実施形態の第四の概略構造図である。
【００６８】
前記一時停止ユニット4025は、前記判定結果が「いいえ」であり、かつ映像が再生されているとき、前記映像の再生を一時停止するように構成される。
【００６９】
前記第三スタンバイユニット4026は、動作命令がスクリーンスタンバイタイムアウト期間内に存在するか否かを判定し、かつ存在しない場合、スタンバイ状態に入るように構成される。
【００７０】
前述した実施方法に基づいて、前記検出モジュール401は、前記設定範囲内において特定時間の間隔で赤外線ユーザ検出を実行するように構成される検出ユニットを備える。
【００７１】
この実施形態において、前記検出モジュール401は、例えば人体赤外線センサのような人体赤外線検出デバイスであってもよい。
【００７２】
この実施形態において、スタンバイ動作を制御するための装置は、第一設定時間内に動作命令が存在しないとき、設定範囲内でユーザ検出を実行し、かつユーザが検出されるか否かの結果に基づいて対応するスタンバイ動作を実行する。つまり、この実施形態において、設定範囲内のユーザの存在状態が考慮され、かつ前記ユーザの前記存在状態に基づいて対応するスタンバイ動作が実行され、それによってユーザ体験が改善される。
【００７３】
さらに、この実施形態において、スタンバイ動作を制御するための装置の電力消費が節約され、かつスタンバイ動作を制御するための装置は、よりインテリジェントになる。
【００７４】
留意すべきは、本発明の全ての実施形態が、発展中の方法において説明されているということである。各実施形態は、他の実施形態と異なる点のみを説明している。実施形態の中で同一又は類似の部分は、相互に参照されてもよい。前記装置の実施形態のために、装置におけるモジュールの機能は、基本的には、方法の実施形態におけるステップの説明と同様であり、それゆえに、簡潔に説明されているのみである。関連するコンテンツについては、方法の実施形態における関連する説明が参照されてもよい。
【００７５】
留意すべきは、例えばここの第一及び第二のような関連する用語は、実体又は動作を、別の実体又は動作と区別するためだけに使用され、これらの実体又は動作におけるいかなる実質的な関連性又はシーケンスを必要とする又は意味するものではない、ということである。さらに、“含む”、“備える”という用語、又はそれらの任意の変化は、非排他的な包含をカバーすることを意図している。従って、処理、方法、目的、又は一連の要素を含むデバイスの文脈において、前記処理、方法、目的、又はデバイスは、そのような要素を具備するだけでなく、明示的に特定されない他の要素を具備し、又は前記処理、方法、目的、又はデバイスの特有の要素を具備してもよい。これ以上の制限はされず、“…を備える”という用語によって限定される要素は、前記処理、方法、物品、又は要素を備えるデバイスに存在する他の同一要素を排除しない。
【００７６】
当業者は、実施形態の全て又は一部のステップがハードウェア又は関連するハードウェアに命令するプログラムによって実行され得ることを理解することができる。前記プログラムは、コンピュータ読み取り可能記録媒体に記録されてもよい。前記記録媒体は、読み出し専用メモリ、磁気ディスク、又は光ディスクを含んでもよい。
【００７７】
上記実施形態は、単なる本発明の好適な実施形態であるが、本発明を限定することを意図していない。従って、本発明の思想及び原理から逸脱しない修正、均等置換、及び改良は、本発明の範囲内に入るものとする。
【符号の説明】
【００７８】
４０１  検出モジュール
４０２  判定及び処理モジュール
４０２１  短縮ユニット
４０２２  第一スタンバイユニット
４０２３  延長ユニット
４０２４  第二スタンバイユニット
４０２５  一時停止ユニット
４０２６  第三スタンバイユニット
【図１】
2015510633.tif 000003
【図２】
2015510633.tif 000004
【図３】
2015510633.tif 000005
【図４】
2015510633.tif 000006
【図５】
2015510633.tif 000007
【図６】
2015510633.tif 000008
【図７】
2015510633.tif 000009
【手続補正書】
【提出日】平成26年7月25日(2014.7.25)
【手続補正１】
【補正対象書類名】明細書
【補正対象項目名】００１４
【補正方法】変更
【補正の内容】
【００１４】
この実施形態において、第一設定時間内に動作命令が存在しないとき、ユーザ検出が設定範囲内で実行され、対応するスタンバイ動作が、ユーザが検出されるか否かの結果に基づいて実行される。つまり、この実施形態において、設定範囲内でユーザがデバイスを使用しているか否かが考慮され、かつ前記ユーザが前記デバイスを使用していない場合、対応するスタンバイ動作が実行され、それによって、ユーザ体験が改善される。
【手続補正２】
【補正対象書類名】明細書
【補正対象項目名】００２５
【補正方法】変更
【補正の内容】
【００２５】
S203:スクリーンスタンバイタイムアウト期間(screen standby timeout period)を第四設定時間に延長し、動作命令が前記第四設定時間内に存在するか否かを判定し、もし存在しない場合、スタンバイ状態に入り、もし存在する場合、前記スクリーンスタンバイタイムアウト期間の初期設定を復元するとともに、現行情報の表示を継続する。
【手続補正３】
【補正対象書類名】明細書
【補正対象項目名】００２６
【補正方法】変更
【補正の内容】
【００２６】
このステップに含まれる前記第四設定時間は、ユーザ体験に基づいて設定されてもよい。例えば、前記スクリーンスタンバイタイムアウト期間が1分であるとき、前記第四設定時間は、10分であってもよいが、これに限定されない。つまり、この実施形態において、前記スクリーンスタンバイタイムアウト期間(1分)は、10分に延長されてもよい。前記スクリーンスタンバイタイムアウト期間は、予めユーザによって設定されてもよく、又は移動端末の工場出荷時の設定であってもよい。
【手続補正４】
【補正対象書類名】明細書
【補正対象項目名】００２７
【補正方法】変更
【補正の内容】
【００２７】
前記移動端末が、第二設定時間内にユーザを検出できるとき、前記ユーザが情報を閲覧していることを示している。前記移動端末は、前記スクリーンスタンバイタイムアウト期間を第四設定時間に延長し、動作命令が第四設定時間内に存在するか否かを判定し、かつ判定結果に基づいて対応する処理を実行する。前記スクリーンスタンバイタイムアウト期間を延長することは、前記移動端末がスタンバイ状態に入っていない間、前記ユーザがより長い間情報を閲覧し続けることを可能にし、それによってユーザ体験を改善する。
【手続補正５】
【補正対象書類名】明細書
【補正対象項目名】００２８
【補正方法】変更
【補正の内容】
【００２８】
もし、動作命令が第四設定時間内に存在しない場合、前記移動端末は、スタンバイ状態に入る。もし、動作が前記第四設定時間内に実行される場合、スクリーンスタンバイタイムアウト期間の初期設定が復元される。つまり、前記第四設定時間が延長前のスクリーンスタンバイタイムアウト期間に復元される。例えば、スクリーンスタンバイタイムアウト期間は、延長後の10分から延長前の1分に復元され、ついで現行情報の表示が継続する。
【手続補正６】
【補正対象書類名】明細書
【補正対象項目名】００２９
【補正方法】変更
【補正の内容】
【００２９】
S204:前記スクリーンスタンバイタイムアウト期間を第三設定時間に短縮し、動作命令が前記第三設定時間内に存在するか否かを判定し、もし存在しない場合、スタンバイ状態に入り、もし存在する場合、前記スクリーンスタンバイタイムアウト期間の初期設定を復元するとともに、現行情報を表示することを継続する。
【手続補正７】
【補正対象書類名】明細書
【補正対象項目名】００３０
【補正方法】変更
【補正の内容】
【００３０】
このステップに含まれる前記第三設定時間は、ユーザ体験に基づいて設定されてもよい。例えば、前記スクリーンスタンバイタイムアウト期間が1分であるとき、前記第三設定時間は、15秒であってもよいが、これに限定されない。つまり、この実施形態において、前記スクリーンスタンバイタイムアウト期間(1分)は、15秒に短縮されてもよい。前記スクリーンスタンバイタイムアウト期間は、予め前記ユーザによって設定されてもよく、又は、移動端末の工場出荷時の設定であってもよい。
【手続補正８】
【補正対象書類名】明細書
【補正対象項目名】００３１
【補正方法】変更
【補正の内容】
【００３１】
前記移動端末が、前記第二設定時間内にユーザを検出することに失敗するとき、それは、ユーザが離れ、情報を閲覧していないということを示す。前記移動端末は、スクリーンスタンバイタイムアウト期間を第三設定時間に短縮し、動作命令が第三設定時間内に存在するか否かを判定し、かつ判定結果に基づいて対応する処理を実行する。
【手続補正９】
【補正対象書類名】明細書
【補正対象項目名】００３２
【補正方法】変更
【補正の内容】
【００３２】
前記スクリーンスタンバイタイムアウト期間を短縮することは、移動端末がスタンバイ状態により迅速に入ることを可能にし、かつ移動端末の電力消費を節約する。前記スクリーンスタンバイタイムアウト期間は、予めユーザによって設定されてもよく、又は、移動端末の工場出荷時の設定であってもよい。例えば、前記スクリーンスタンバイタイムアウト期間は1分であり、かつこの実施形態において、スクリーンスタンバイタイムアウト期間(1分)は15秒に短縮されてもよい。
【手続補正１０】
【補正対象書類名】明細書
【補正対象項目名】００３３
【補正方法】変更
【補正の内容】
【００３３】
もし、動作命令が第三設定時間内に存在しない場合、前記移動端末はスタンバイ状態に入る。もし、動作が第三設定時間内に実行される場合、スクリーンスタンバイタイムアウト期間の初期設定は復元され、つまり、第三設定時間は短縮前のスクリーンスタンバイタイムアウト期間に復元される。例えば、前記スクリーンスタンバイタイムアウト期間は、短縮後の15秒から短縮前の1分に復元され、かつ現行情報の表示が継続する。
【手続補正１１】
【補正対象書類名】明細書
【補正対象項目名】００３７
【補正方法】変更
【補正の内容】
【００３７】
この実施形態において、第一設定時間内に動作命令が存在しない時、ユーザ検出が設定範囲内で実行され、ユーザが検出されるか否かの結果に基づいて対応するスタンバイ動作が実行される。つまり、この実施形態において、設定範囲内でユーザがデバイスを使用しているか否かが考慮され、かつ前記ユーザが前記デバイスを使用していない場合、対応するスタンバイ動作が実行され、それによってユーザ体験を改善する。
【手続補正１２】
【補正対象書類名】明細書
【補正対象項目名】００５７
【補正方法】変更
【補正の内容】
【００５７】
この実施形態において、第一設定時間内に動作命令が存在しないとき、ユーザ検出が設定範囲内で実行され、ユーザが検出された否かの結果に基づいて、対応するスタンバイ動作が実行され、つまり、この実施形態において、設定範囲内でユーザがデバイスを使用しているか否かが考慮され、かつ前記ユーザが前記デバイスを使用していない場合、対応するスタンバイ動作が実行され、それによって、ユーザ体験が改善される。
【手続補正１３】
【補正対象書類名】明細書
【補正対象項目名】００７２
【補正方法】変更
【補正の内容】
【００７２】
この実施形態において、スタンバイ動作を制御するための装置は、第一設定時間内に動作命令が存在しないとき、設定範囲内でユーザ検出を実行し、かつユーザが検出されるか否かの結果に基づいて対応するスタンバイ動作を実行する。つまり、この実施形態において、設定範囲内でユーザがデバイスを使用しているか否かが考慮され、かつ前記ユーザが前記デバイスを使用していない場合、対応するスタンバイ動作が実行され、それによってユーザ体験が改善される。
【手続補正１４】
【補正対象書類名】図面
【補正対象項目名】図２
【補正方法】変更
【補正の内容】
【図２】
2015510633.tif 000010
【国際調査報告】
2015510633.tif 000011
2015510633.tif 000012
2015510633.tif 000013
2015510633.tif 000014